(57)【要約】      （修正有）【課題】圧電トランスの駆動効率の低下を抑制し、かつ出力電圧可変範囲を広くすることが可能な高圧電源装置を提供すること。【解決手段】圧電トランス２０と、圧電トランス２０からの出力電圧または出力電流を検出する検出部１２と、検出部１２で検出された出力電圧または出力電流に応じて圧電トランス２０の駆動電圧の振幅を可変にする駆動電圧制御と、駆動電圧の周波数を可変にする駆動周波数制御との切り替えを行う制御切替部１０とを具備する高圧電源装置。【選択図】図１
2011024362.tif 000002
【特許請求の範囲】
【請求項１】
圧電トランスと、
前記圧電トランスからの出力電圧または出力電流を検出する検出部と、
前記検出部で検出された前記出力電圧または前記出力電流に応じて、前記圧電トランスの駆動電圧の振幅を可変にする駆動電圧制御と、前記駆動電圧の周波数を可変にする駆動周波数制御との切り替えを行う制御切替部とを具備することを特徴とする高圧電源装置。
【請求項２】
前記制御切替部は、前記検出部で検出された前記出力電圧または前記出力電流が、あらかじめ定められた第１基準信号より大きい場合は前記駆動周波数制御が行われるように切り替えを行い、
前記出力電圧または前記出力電流が前記第１基準信号より小さい場合は前記駆動電圧制御が行われるように切り替えを行うことを特徴とする請求項１記載の高圧電源装置。
【請求項３】
前記制御切替部は、前記検出部で検出された前記出力電圧または前記出力電流と、あらかじめ定められた第２基準信号及びあらかじめ定められた第３基準信号との比較結果に応じて、前記駆動電圧制御と前記駆動周波数制御とが行われるように切り替えを行うことを特徴とする請求項１記載の高圧電源装置。
【請求項４】
圧電トランスと、
入力される出力電圧目標値信号に応じて、前記圧電トランスの駆動電圧の振幅を可変にする駆動電圧制御と、前記駆動電圧の周波数を可変にする駆動周波数制御との切り替えを行う制御切替部とを具備することを特徴とする高圧電源装置。
【請求項５】
前記制御切替部は、前記出力電圧目標値信号があらかじめ定められた第１基準信号より大きい場合は前記駆動周波数制御が行われるように切り替えを行い、
前記出力電圧目標値信号が前記第１基準信号より小さい場合は前記駆動電圧制御が行われるように切り替えを行うことを特徴とする請求項４記載の高圧電源装置。
【請求項６】
前記制御切替部は、前記出力電圧目標値信号とあらかじめ定められた第２基準信号及びあらかじめ定められた第３基準信号との比較結果に応じて、前記駆動電圧制御と前記駆動周波数制御とが行われるように切り替えを行うことを特徴とする請求項４記載の高圧電源装置。
【請求項７】
圧電トランスと、
入力される制御切替信号に応じて、前記圧電トランスの駆動電圧の振幅を可変にする駆動電圧制御と、前記駆動電圧の周波数を可変にする駆動周波数制御との切り替えを行う制御切替部とを具備することを特徴とする高圧電源装置。
【発明の詳細な説明】
【技術分野】
【０００１】
本発明は高圧電源装置に関する。
【背景技術】
【０００２】
近年、画像形成装置は生産性向上のため、画像形成部をタンデム構造とすることが要求されている。タンデム構造では、各色毎に高電圧が必要となるため、高圧電源装置の実装面積が大きくなる。高圧電源装置を小型化するために、圧電トランスが用いられることがある。圧電トランスは１次電極（入力電極）間に交流電圧を印加することで駆動する。
【０００３】
特許文献１には、出力電圧停止回路が制御信号と基準電圧との比較に基づき出力信号を出力し、電圧制御発信器が出力信号により圧電トランスの駆動を停止させる技術が開示されている。
【特許文献１】特開２００６−３４０５８８号公報
【発明の開示】
【発明が解決しようとする課題】
【０００４】
本発明は、圧電トランスの駆動効率の低下を抑制し、かつ出力電圧可変範囲を広くすることが可能な高圧電源装置を提供することを目的とする。
【課題を解決するための手段】
【０００５】
請求項１の高圧電源装置は、圧電トランスと、前記圧電トランスからの出力電圧または出力電流を検出する検出部と、前記検出部で検出された前記出力電圧または前記出力電流に応じて、前記圧電トランスの駆動電圧の振幅を可変にする駆動電圧制御と、前記駆動電圧の周波数を可変にする駆動周波数制御との切り替えを行う制御切替部とを具備することを特徴とする。
【０００６】
請求項２の高圧電源装置は、前記制御切替部が、前記検出部で検出された前記出力電圧または前記出力電流が、あらかじめ定められた第１基準信号より大きい場合は前記駆動周波数制御が行われるように切り替えを行い、前記出力電圧または前記出力電流が前記第１基準信号より小さい場合は前記駆動電圧制御が行われるように切り替えを行うことを特徴とする。
【０００７】
請求項３の高圧電源装置は、前記制御切替部が、前記検出部で検出された前記出力電圧または前記出力電流と、あらかじめ定められた第２基準信号及びあらかじめ定められた第３基準信号との比較結果に応じて、前記駆動電圧制御と前記駆動周波数制御とが行われるように切り替えを行うことを特徴とする。
【０００８】
請求項４の高圧電源装置は、圧電トランスと、入力される出力電圧目標値信号に応じて、前記圧電トランスの駆動電圧の振幅を可変にする駆動電圧制御と、前記駆動電圧の周波数を可変にする駆動周波数制御との切り替えを行う制御切替部とを具備することを特徴とする。
【０００９】
請求項５の高圧電源装置は、前記制御切替部が、前記出力電圧目標値信号があらかじめ定められた第１基準信号より大きい場合は前記駆動周波数制御が行われるように切り替えを行い、前記出力電圧目標値信号が前記第１基準信号より小さい場合は前記駆動電圧制御が行われるように切り替えを行うことを特徴とする。
【００１０】
請求項６の高圧電源装置は、前記制御切替部が、前記出力電圧目標値信号とあらかじめ定められた第２基準信号及びあらかじめ定められた第３基準信号との比較結果に応じて、前記駆動電圧制御と前記駆動周波数制御とが行われるように切り替えを行うことを特徴とする。
【００１１】
請求項７の高圧電源装置は、圧電トランスと、入力される制御切替信号に応じて、前記圧電トランスの駆動電圧の振幅を可変にする駆動電圧制御と、前記駆動電圧の周波数を可変にする駆動周波数制御との切り替えを行う制御切替部とを具備することを特徴とする。
【発明の効果】
【００１２】
請求項１記載の発明によれば、圧電トランスの駆動効率の低下を抑制し、かつ出力電圧可変範囲を広くすることが可能となる。
【００１３】
請求項２記載の発明によれば、圧電トランスの駆動効率の低下を抑制し、かつ出力電圧可変範囲を広くすることが可能となる。
【００１４】
請求項３記載の発明によれば、圧電トランスの応答性及び安定性が向上する。
【００１５】
請求項４記載の発明によれば、圧電トランスの駆動効率の低下を抑制し、かつ出力電圧可変範囲を広くすることが可能となる。
【００１６】
請求項５記載の発明によれば、圧電トランスの駆動効率の低下を抑制し、かつ出力電圧可変範囲を広くすることが可能となる。
【００１７】
請求項６記載の発明によれば、圧電トランスの応答性及び安定性が向上する。
【００１８】
請求項７記載の発明によれば、圧電トランスの駆動効率の低下を抑制し、かつ出力電圧可変範囲を広くすることが可能となる。
【図面の簡単な説明】
【００１９】
【図１】図１は実施例１に係る高圧電源装置を示すブロック図である。
【図２】図２は実施例１に係る高圧電源装置の回路構成例を示す図である。
【図３】図３は実施例１に係る高圧電源装置の動作を示すフローチャートである。
【図４】図４は実施例１に係る高圧電源装置における出力電圧または制御電圧と、駆動周波数及び駆動電圧の振幅との関係を示す図である。
【図５】図５は圧電トランスの駆動周波数と昇圧比、及び駆動効率との関係を例示した図である。
【図６】図６は実施例２に係る高圧電源装置の動作を示すフローチャートである。
【図７】図７は実施例２に係る高圧電源装置における出力電圧または制御電圧と、駆動周波数及び駆動電圧の振幅との関係を示す図である。
【図８】図８は実施例３に係る高圧電源装置を示すブロック図である。
【図９】図９は実施例３に係る高圧電源装置の動作を示すフローチャートである。
【図１０】図１０は実施例４に係る高圧電源装置の動作を示すフローチャートである。
【図１１】図１１は実施例５に係る高圧電源装置を示すブロック図である。
【図１２】図１２は実施例５に係る高圧電源装置の動作を示すフローチャートである。
【発明を実施するための最良の形態】
【００２０】
図面を用いて、本発明の実施例について説明する。
【実施例１】
【００２１】
図１は、実施例１に係る高圧電源装置を示すブロック構成図である。なお、図１は正極性出力電源の例であるが、負極性出力電源においても要旨は同一である。図１を参照に、高圧電源装置の構成について説明する。
【００２２】
図１に示すように、圧電トランス２０の一次側には電圧制御部４と周波数制御部６とが設けられており、電圧制御部４と周波数制御部６とは制御切替部１０に接続されている。二次側にはダイオード２６、２８及びコンデンサ３０とからなる整流平滑部が設けられている。また、コイル１６、コンデンサ１８及び圧電トランス２０の入力内部容量はＬＣ共振回路を形成している。
【００２３】
圧電トランス２０の出力電圧はダイオード２６、２８及びコンデンサ３０により整流、平滑され出力端子３２へと出力される。また、出力電圧は、検出部１２を介して制御切替部１０に入力される。制御切替部１０には基準信号が入力され、また制御切替部１０の他端は電圧制御部４及び周波数制御部６に接続されている。制御切替部１０は圧電トランス２０からの出力電圧に応じて電圧制御部４による制御と周波数制御部６による制御との切り替えを行う。電圧制御部４には端子２から電源電圧が供給され、電圧制御部４の出力はコイル１６を介して抵抗２２、コンデンサ１８、及び圧電トランス２０の一次側電極の一方に接続されている。周波数制御部６の出力は例えばＭＯＳＦＥＴであるスイッチ１４のゲートに接続されている。スイッチ１４のドレインは圧電トランス２０の一次電極の一方に接続され、ソースは抵抗２４を介して接地されている。同様に、圧電トランス２０の他方の一次電極、コンデンサ１８、及び抵抗２２は接地されている。
【００２４】
電圧制御部４は入力された不図示の制御信号に応じて、圧電トランス２０に入力される駆動電圧の振幅の制御を行う。周波数制御部６は、入力された不図示の制御信号に応じてスイッチ１４のスイッチングを行い、電圧制御部から出力された直流電圧をコイル１６とコンデンサ１８及び圧電トランス２０の入力内部容量によりＬＣ共振させ交流電圧を発生させる。発生した交流電圧（駆動電圧）は圧電トランス２０に入力される。すなわち、周波数制御部６は駆動電圧の周波数（駆動周波数）の制御を行う。
【００２５】
図２は、高圧電源装置の回路構成例を示す図である。図２を参照に回路構成について説明する。
【００２６】
図２に示すように、電圧制御部４は、トランジスタ４０、抵抗４２、４４及びツェナーダイオード４６からなり、トランジスタ４０をドロッパーとして動作させることにより、圧電トランス２０の駆動電圧の振幅を制御する。電源電圧Ｖｃｃは抵抗４２及びトランジスタ４０のエミッタに入力される。
【００２７】
周波数制御部６は抵抗５２、５４、５６、５８、コンデンサ６２、オペアンプ６０及びＭＯＳＦＥＴ６４からなる。オペアンプ６０の反転入力端子（−端子）には圧電トランス２０からの出力信号が入力され、非反転入力端子（＋端子）には端子５０から回路動作に対する基準電圧が入力される。オペアンプ６０の出力端子はＭＯＳＦＥＴ６４のゲートに接続されている。ＭＯＳＦＥＴ６４のソース、抵抗５８及びコンデンサ６２は接地されており、ＭＯＳＦＥＴ６４のドレインはオペアンプ７０の非反転入力端子（＋端子）に接続されている。
【００２８】
オペアンプ６０の非反転入力端子（＋端子）電圧がオペアンプ６０の反転入力端子（−端子）電圧よりも低い状態では、コンデンサ６２に充電電流が流れ、オペアンプ６０の非反転入力端子電圧が上昇する。オペアンプ６０の非反転入力端子電圧が反転入力端子電圧を上回った時点でのオペアンプ６０の出力はＨＩＧＨになり、ＭＯＳＦＥＴ６４がＯＮ状態となる。そして、充電電流によりコンデンサ６２に蓄積された電荷はＭＯＳＦＥＴ６４を通じて放電され、オペアンプ６０の非反転入力端子電圧が減少する。上記の動作により、オペアンプ６０の非反転入力端子電圧は三角波状に変化し、三角波の周波数が圧電トランス２０に入力される駆動電圧の周波数となる。
【００２９】
制御切替部１０はオペアンプ８０とコンデンサ７８、抵抗８２、ツェナーダイオード７４及び７６からなる。オペアンプ８０の非反転入力端子（＋端子）には検出部１２を介して圧電トランス２０から出力信号が入力され、反転入力端子（−端子）には端子８から抵抗８２を介して基準信号が入力される。オペアンプ８０の出力端子はツェナーダイオード７４及び抵抗６６を介して周波数制御部６及びオペアンプ７０の非反転入力端子（＋端子）に接続され、またツェナーダイオード７６及び抵抗４４を介して電圧制御部４のトランジスタ４０のベースに接続されている。
【００３０】
次に、高圧電源装置の動作について説明する。図３は高圧電源装置の動作を示すフローチャートであり、図４は高圧電源装置における出力電圧または制御電圧（後述）と、駆動周波数及び駆動電圧の振幅との関係を示す図である。実施例１においては、図４の横軸は出力電圧、縦軸は駆動周波数、及び駆動電圧の振幅を各々示す。
【００３１】
図３に示すように、まず、圧電トランス２０の一次端子に駆動電圧が入力される（ステップＳ１０）。
【００３２】
圧電トランス２０は入力された駆動電圧の周波数（駆動周波数）に対応した昇圧比で駆動電圧を昇圧し、出力する（ステップＳ１１）。なお、昇圧比とは圧電トランスの出力電圧の振幅と駆動電圧の振幅との比である。
【００３３】
制御切替部１０は、検出部１２で検出された圧電トランス２０からの出力電圧Ｖｏｕｔとあらかじめ定められた第１基準信号の電圧（基準電圧）Ｖ１とを比較し、ＶｏｕｔがＶ１より小さいか判断する（ステップＳ１２）。
【００３４】
Ｙｅｓの場合、ステップＳ１３に進む。図４に示すように、制御切替部１０は、電圧制御部４により駆動電圧の振幅を可変にする制御が行われるように切り替えを行う。このとき、駆動周波数は周波数制御部６により一定（ｆ２）に制御される。
【００３５】
Ｎｏの場合、ステップＳ１４に進む。図４に示すように、制御切替部１０は周波数制御部６により駆動周波数を可変にする制御が行われるように、切り替えを行う。このとき、駆動周波数はｆ１〜ｆ２の間で掃引される。また、駆動電圧の振幅は一定である。
【００３６】
ステップＳ１３及びＳ１４の後はステップＳ１０に戻る。以上のように、実施例１に係る高圧電源装置では、出力電圧Ｖｏｕｔが基準電圧Ｖ１より小さければ、電圧制御部４が駆動電圧の振幅を可変にする制御を行う（駆動電圧制御）。一方、出力電圧Ｖｏｕｔが基準電圧Ｖ１より大きければ、周波数制御部６が駆動周波数を可変にする制御を行う（駆動周波数制御）。すなわち、制御切替部１０は、検出部１２で検出された圧電トランス２０からの出力電圧Ｖ ｏｕｔに応じて、駆動電圧制御と駆動周波数制御との切り替えを行う。
【００３７】
ここで、圧電トランスの特性について説明する。図５は圧電トランスの駆動周波数と昇圧比、及び駆動効率との関係を例示した図である。横軸が駆動周波数を、縦軸が昇圧比及び駆動効率を各々表す。実線が昇圧比、破線が駆動効率を各々表す。
【００３８】
図５に示すように、共振周波数ｆ０付近で昇圧比は大きくなり、共振周波数ｆ０でピークとなる。従って、共振周波数ｆ０から大きく離れた周波数では昇圧比が低下する。また、図中に斜線で示すように、圧電トランス２０には昇圧比の単調性が成立しないスプリアス領域が存在しており、この領域では出力電圧の応答性及び安定性が低下する。一般に駆動効率は周波数ｆ１〜ｆ２の領域、つまり共振周波数ｆ０付近においてピークを示す。
【００３９】
一方、圧電トランスへの入力電圧を制御する駆動電圧制御方式では、駆動周波数が一定であれば、圧電トランスの出力電圧の振幅は、駆動電圧の振幅に比例する。駆動電圧制御では、駆動電圧の振幅を低下させるため、例えばトランジスタ等のドロッパーを使用するため、電力の損失が発生し、入力電圧が高くなると電力の損失が大きくなる。
【００４０】
図４に示すように、実施例１によれば、周波数制御部６が駆動周波数の掃引する範囲をｆ１〜ｆ２とすることで、圧電トランス２０の駆動効率の高い領域において周波数制御が行われることとなる。すなわち、駆動電圧制御または駆動周波数制御のどちらか一方のみで制御を行う場合よりも、圧電トランス２０の駆動効率が向上する。また、掃引周波数の上限をスプリアス領域に含まれない周波数ｆ２に設定することで、掃引周波数の上限を設けない場合よりも、圧電トランス２０の応答性、及び安定性が向上する。
【００４１】
図４に示すように、駆動電圧の振幅がＶ１より高い領域においては、駆動周波数制御が行われるため、ドロッパーによる電力の損失の増大が抑制される。従って、出力電圧可変範囲が広くなる。
【００４２】
また、圧電トランス２０の出力検出電圧を制御切替部１０に入力させて切り替えを行うため、圧電トランス２０の駆動特性のバラつきを考慮する必要がなく、最適な状態で駆動周波数制御が行われる。
【実施例２】
【００４３】
実施例２は、圧電トランスの出力電圧または出力電流と、二つの基準信号である第２基準信号及び第３基準信号との比較結果に応じて制御の切替を行う例である。高圧電源装置の構成は、図１及び図２に示したものと同様である。図６は実施例２に係る高圧電源装置の動作を示すフローチャートである。図７は、実施例２に係る高圧電源装置における出力電圧または制御電圧（後述）と駆動周波数及び駆動電圧の振幅との関係を示す図である。図７の横軸は出力電圧、縦軸は駆動周波数、及び駆動電圧の振幅を各々示す。第２基準電圧をＶ２、第３基準電圧をＶ３とすると、Ｖ２＜Ｖ３である。まず図６を参照に高圧電源装置の動作について説明するが、実施例１で説明したステップＳ１０、及びＳ１１については説明を省略する。
【００４４】
図６に示すように、制御切替部１０は出力電圧Ｖｏｕｔが第２基準電圧Ｖ２より大きいか判断する（ステップＳ１５）。
【００４５】
Ｎｏの場合、ステップＳ１６に進む。図７に示すように、制御切替部１０は駆動電圧制御が行われるように切り替えを行う。このとき、実施例１と同様に駆動周波数はｆ２で一定である。
【００４６】
Ｙｅｓの場合、ステップＳ１７に進む。制御切替部１０は出力電圧Ｖｏｕｔが第３基準電圧Ｖ３より小さいか判断する。
【００４７】
ステップＳ１７においてＮｏの場合、ステップＳ１８に進む。図７に示すように、制御切替部１０は駆動周波数制御が行われるように切り替えを行う。このとき、駆動周波数の下限がｆ１であることは、実施例１と同様である。また、駆動電圧の振幅は一定である。
【００４８】
ステップＳ１７においてＹｅｓの場合、ステップＳ１９に進む。図７に示すように、制御切替部１０は、駆動電圧制御と駆動周波数制御とが行われるように、切り替えを行う。ステップＳ１６、１８及び１９の後はステップＳ１０に戻る。
【００４９】
実施例２によれば、実施例１と同様に圧電トランス２０の駆動効率が向上し、かつ出力電圧可変範囲が広くなる。また、Ｖ２〜Ｖ３の範囲において、駆動電圧及び駆動周波数を同時に可変制御することにより、高圧出力の応答性及び安定性が向上する。
【００５０】
なお、実施例１及び２では、検出部１２において圧電トランス２０の出力電圧を検出し、制御切替部１０において基準電圧と比較するとしたが、検出部１２において出力電流を検出し、制御切替部１０において基準信号の電流と比較するとしてもよい。
【実施例３】
【００５１】
実施例３は、制御切替部１０が出力電圧目標値信号と基準信号との比較結果に応じて制御の切り替えを行う例である。図８は実施例３に係る高圧電源装置を示すブロック図であり、図９は高圧電源装置の動作を示すフローチャートである。
【００５２】
図８に示すように、制御切替部１０に、圧電トランス２０からの出力信号は入力されず、端子９から出力電圧目標値信号が入力される。制御切替部１０は出力電圧目標値信号に応じて切り替えを行う。なお、図２で既述したものと同じ構成については、説明を省略する。次に、図９を参照に高圧電源装置の動作について説明する。
【００５３】
図９に示すように、出力電圧目標値信号が制御切替部１０に入力される（ステップＳ１０）。
【００５４】
制御切替部１０は、出力電圧目標値信号の電圧（制御電圧）Ｖｔａｒｇとあらかじめ定められた基準電圧Ｖ１とを比較し、ＶｔａｒｇがＶ１より小さいか判断する（ステップＳ２０）。
【００５５】
Ｙｅｓの場合、ステップＳ１３に進む。図４に示すように、制御切替部１０は駆動電圧制御が行われるように、切り替えを行う。なお、実施例３においては図４の横軸は制御電圧を表すものとする。
【００５６】
Ｎｏの場合、ステップＳ１４に進む。制御切替部１０は駆動周波数制御が行われるように、切り替えを行う。ステップＳ１３及びＳ１４の後はステップＳ２０に戻る。
【００５７】
実施例３によれば、実施例１と同様に圧電トランス２０の駆動効率が向上し、かつ出力電圧可変範囲が広くなる。また、検出部が不要となるため、高圧電源装置の部品点数が削減される。
【実施例４】
【００５８】
実施例４は、制御切替部１０が出力電圧目標値信号と第２基準信号及び第３基準信号との比較結果に応じて制御の切り替えを行う例である。高圧電源装置の構成は、図８に示したものと同様である。図１０は実施例４に係る高圧電源装置の動作を示すフローチャートである。
【００５９】
図１０に示すように、出力電圧目標値信号Ｖｔａｒｇが第２基準電圧Ｖ２より大きいか判断する（ステップＳ２１）。
【００６０】
Ｎｏの場合、ステップＳ１６に進む。図７に示すように、制御切替部１０は駆動電圧制御が行われるように切り替えを行う。なお、実施例４においては図７の横軸は制御電圧を表すものとする。
【００６１】
Ｙｅｓの場合、ステップＳ２２に進む。出力電圧目標値信号Ｖｔａｒｇが第３基準電圧Ｖ３より小さいか判断する。
【００６２】
ステップＳ２２においてＮｏの場合、ステップＳ１８に進む。図７に示すように、制御切替部１０は駆動周波数制御が行われるように切り替えを行う。
【００６３】
ステップＳ２２おいてＹｅｓの場合、ステップＳ１９に進む。図７に示すように、制御切替部１０は、駆動電圧制御と駆動周波数制御とが行われるように、切り替えを行う。
【００６４】
実施例４によれば、実施例２と同様に圧電トランス２０の駆動効率が向上し、かつ出力電圧可変範囲が広くなる。また、圧電トランス２０の応答性及び安定性が向上する。実施例３と同様に、検出部が不要となるため高圧電源装置の部品点数が削減される。
【００６５】
なお、実施例３及び４では、制御切替部１０において出力電圧目標値信号の電圧と基準信号の電圧とを比較するとしたが、出力電圧目標値信号の電流と基準信号の電流とを比較するとしてもよい。
【実施例５】
【００６６】
実施例５は、制御切替部１０が制御切替信号に応じて切り替えを行う例である。図１１は実施例５に係る高圧電源装置を示すブロック図であり、図１２は実施例５に係る高圧電源装置の動作を示すフローチャートである。
【００６７】
図１１に示すように、制御切替部１０に端子１１から出力電圧目標値信号が入力される。制御切替部１０は、出力電圧目標値信号に応じて切り替えを行う。次に、図１２を参照に、高圧電源装置の動作について説明する。
【００６８】
図１２に示すように、制御切替部１０は制御切替信号Ｖｓｗが入力されたか判断する（ステップＳ３０）。
【００６９】
Ｙｅｓの場合、ステップＳ１３に進む。制御切替部１０は駆動電圧制御が行われるように、切り替えを行う。
【００７０】
Ｎｏの場合、ステップＳ１４に進む。制御切替部１０は駆動周波数制御が行われるように、切り替えを行う。
【００７１】
なお、上記の動作はあくまで例示である。他の動作例について説明する。例えば駆動電圧制御が行われている際に、制御切替信号Ｖｓｗが制御切替部１０に入力されると、制御切替部１０は駆動周波数制御が行われるように切り替えを行う。また、例えば駆動周波数制御が行われている際に、制御切替信号Ｖｓｗが制御切替部１０に入力されると、制御切替部１０は駆動電圧制御が行われるように切り替えを行う。すなわち、制御切替部１０は制御切替信号が入力されたことに応じて、駆動電圧制御と駆動周波数制御との切り替えを行う。
【００７２】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００７３】
電圧制御部      ４
周波数制御部    ６
制御切替部      １０
検出部          １２
スイッチ        １４
圧電トランス    ２０
【図１】
2011024362.tif 000003
【図２】
2011024362.tif 000004
【図３】
2011024362.tif 000005
【図４】
2011024362.tif 000006
【図５】
2011024362.tif 000007
【図６】
2011024362.tif 000008
【図７】
2011024362.tif 000009
【図８】
2011024362.tif 000010
【図９】
2011024362.tif 000011
【図１０】
2011024362.tif 000012
【図１１】
2011024362.tif 000013
【図１２】
2011024362.tif 000014